(57)【要約】      （修正有）【課題】地面に打ち込んだ杭の頭をしっかりと固定し、人力で容易に引き抜くことを可能にする杭抜き器を提供する。【解決手段】上部に載置軸を有する支台と、前記載置軸を支点として両端が交互に上下動可能であり前端から後端に至る嵌込溝に把持部材を後端側から嵌め込み前端側で押さえる基枠と、前記基枠の前端に設けた突起に吊着可能であり中央の貫通孔に通した杭を締めるボルトを備えた固定部材とからなり、把持部材で後端側を押し下げて前端側に連結された杭を引き抜く際に前記固定部材が杭の頭を固持することを特徴とする杭抜き器の構成とした。【選択図】図１
2010281133.tif 000002
【特許請求の範囲】
【請求項１】
上部に載置軸を有する支台と、前記載置軸を支点として両端が交互に上下動可能であり前端から後端に至る嵌込溝に把持部材を後端側から嵌め込み前端側で押さえる基枠と、前記基枠の前端に設けた突起に吊着可能であり中央の貫通孔に通した杭を締めるボルトを備えた固定部材とからなり、把持部材で後端側を押し下げて前端側に連結された杭を引き抜く際に前記固定部材が杭の頭を固持することを特徴とする杭抜き器。
【請求項２】
杭の太さに応じて固定部材を交換可能なことを特徴とする請求項１に記載の杭抜き器。
【請求項３】
杭の抜け難さに応じて把持部材を交換可能なことを特徴とする請求項１又は２に記載の杭抜き器。
【請求項４】
請求項１乃至３のいずれか１項に記載の杭抜き器で引き抜く杭を打ち込むための穴を掘る際に、外筒の先端に内筒を取り付け内壁に段差を設けることで地面に突き刺しても外筒の内壁に土がこびり付かないようにしたことを特徴とする掘削用パイプ。
【発明の詳細な説明】
【技術分野】
【０００１】
本発明は、地面に打ち込んだ杭を人力で容易に引き抜くことを可能にする杭抜き器に関するものである。
【背景技術】
【０００２】
大規模な土木工事等では重機等を利用して杭を引き抜くことが可能であるが、小規模な場合は人力で杭を引き抜いているケースもある。
【０００３】
特許文献１に記載されているように、地面等に打ち込んだ杭を、容易に抜き取ることができ、また杭を抜く際に杭が折れることが少なくなり、経済的且つ省資源にも大きく寄与する用具の考案も公開されている。
【発明の概要】
【発明が解決しようとする課題】
【０００４】
しかしながら、従来技術は、掴み部材が単に角型や丸型の形状であり、杭をしっかり固定することはできず、外れ易いという欠点を有する。
【０００５】
そこで、本発明は、地面に打ち込んだ杭の頭をしっかりと固定し、人力で容易に引き抜くことを可能にする杭抜き器を提供することを目的とするものである。
【課題を解決するための手段】
【０００６】
上記の課題を解決するために、本発明は、上部に載置軸を有する支台と、前記載置軸を支点として両端が交互に上下動可能であり前端から後端に至る嵌込溝に把持部材を後端側から嵌め込み前端側で押さえる基枠と、前記基枠の前端に設けた突起に吊着可能であり中央の貫通孔に通した杭を締めるボルトを備えた固定部材とからなり、把持部材で後端側を押し下げて前端側に連結された杭を引き抜く際に前記固定部材が杭の頭を固持することを特徴とする杭抜き器の構成とした。
【発明の効果】
【０００７】
本発明は、杭の頭をしっかりと固定することにより、人力で容易に引き抜くことが可能となる。また、固定部材や把持部材が着脱可能であり、杭の種類に応じて交換することが可能である。
【図面の簡単な説明】
【０００８】
【図１】本発明の実施例１に係る杭抜き器の外観図である。
【図２】本発明の実施例１に係る杭抜き器の正面図である。
【図３】本発明の実施例１に係る杭抜き器の平面図である。
【図４】本発明の実施例１に係る杭抜き器の側面図である。
【図５】本発明の実施例１に係る杭抜き器の支台を示す図である。
【図６】本発明の実施例１に係る杭抜き器の基枠を示す図である。
【図７】本発明の実施例１に係る杭抜き器の固定部材を示す図である。
【図８】本発明の実施例１に係る杭抜き器で杭を引き抜く準備段階の図である。
【図９】本発明の実施例１に係る杭抜き器で杭を引き抜いた状態の図である。
【図１０】本発明の実施例２に係る掘削用パイプの断面図である。
【図１１】本発明の実施例２に係る掘削用パイプを地面に突き刺した状態の図である。
【図１２】本発明の実施例２に係る掘削用パイプを実施例１に係る杭抜き器で引き抜く状況の図である。
【発明を実施するための形態】
【０００９】
本発明である杭抜き器は、上部に載置軸を有する支台と、前記載置軸を支点として両端が交互に上下動可能であり前端から後端に至る嵌込溝に把持部材を後端側から嵌め込み前端側で押さえる基枠と、前記基枠の前端に設けた突起に吊着可能であり中央の貫通孔に通した杭を締めるボルトを備えた固定部材とからなり、把持部材で後端側を押し下げて前端側に連結された杭を引き抜く際に前記固定部材が杭の頭を固持することを特徴とする。
【００１０】
尚、杭の太さに応じて固定部材を交換することが可能であり、また、杭の抜け難さに応じて把持部材を交換することが可能である。
【００１１】
また、杭抜き器で引き抜く杭を打ち込むための穴を掘る際に、外筒の先端に内筒を取り付け内壁に段差を設けることで地面に突き刺しても外筒の内壁に土がこびり付かないようにした掘削用パイプを用いることができる。
【実施例１】
【００１２】
図１は、本発明の実施例１に係る杭抜き器の外観図である。図２は、本発明の実施例１に係る杭抜き器の正面図である。図３は、本発明の実施例１に係る杭抜き器の平面図である。図４は、本発明の実施例１に係る杭抜き器の側面図である。
【００１３】
杭抜き器１は、梃子の原理を利用して杭６を引き抜く器具であり、支点となる支台２と、力点となる把持部材５を取り付ける基枠３と、作用点となり杭６を連結する固定部材４とからなる。
【００１４】
支台２は、地面６ａに敷く土台板２ｄから左枠板２ｂと右枠板２ｃとを一定間隔を置いて垂立させ、上部において左枠板２ｂと右枠板２ｃの間に棒状の載置軸２ａを水平に配したものである。
【００１５】
基枠３は、本体下面の中心付近に設けた軸受３ｅを載置軸２ａに載せることで両端を上下に揺らすことが可能であり、前端から後端まで形成した凹状の嵌込溝３ａに把持部材５を後端側から嵌め込み前端側を押さえ板３ｂで固定することができる。
【００１６】
固定部材４は、基枠３の前端に取り付けた補助板３ｃに設けた突起３ｄに連結具４ｂを掛けることで吊着可能であり、中央の貫通孔４ａに通した杭６をボルト４ｃで締めることができる。
【００１７】
杭抜き器１に把持部材５を装着し、杭６に固定部材４を取り付けて、把持部材５で基枠３の後端側を押し下げて前端側を引き上げる際に、固定部材４が杭６の頭を固持するので、容易に杭６を引き抜くことができる。
【００１８】
図５は、本発明の実施例１に係る杭抜き器の支台を示す図である。図６は、本発明の実施例１に係る杭抜き器の基枠を示す図である。図７は、本発明の実施例１に係る杭抜き器の固定部材を示す図である。
【００１９】
図５に示すように、支台２は、載置軸２ａ、左枠板２ｂ、右枠板２ｃ、及び土台板２ｄ等からなる。
【００２０】
載置軸２ａは、金属等の円柱状の棒材を横向きにし、任意の高さにおいて左枠板２ｂと右枠板２ｃを用いて水平に保持し、左端を左枠板２ｂに固定し、右端を右枠板２ｃに固定したものである。
【００２１】
左枠板２ｂは、金属等の板材を土台板２ｄから上方に垂設したものである。また、右枠板２ｃも同様に、金属等の板材を土台板２ｄから上方に垂設したものである。尚、左枠板２ｂと右枠板２ｃを背面板等で連結しても良い。
【００２２】
土台板２ｄは、杭抜き器１を地面６ａ上に設置できるように、金属等の板材を水平に敷いたものである。尚、接地箇所を面状にすることで地面６ａに掛かる力を分散する効果も有する。
【００２３】
図６に示すように、基枠３は、嵌込溝３ａ、押さえ板３ｂ、補助板３ｃ、突起３ｄ、及び軸受３ｅ等からなる。尚、図６は、基枠３を斜め下方から見た図である。
【００２４】
嵌込溝３ａは、金属等の板材の左片及び右片を同じ側に直角に折り曲げ、凹状にすることで形成された空間である。尚、左片から右片までの長さは、把持部材５を収めることができる幅とする。
【００２５】
押さえ板３ｂは、基枠３の前端側において、嵌込溝３ａの上側を覆うように金属等の板材を取り付けたものである。把持部材５を嵌込溝３ａに収めた際に、把持部材５の先端を嵌込溝３ａと押さえ板３ｂの間を通し、把持部材５が外れないように押さえる。
【００２６】
補助板３ｃは、基枠３の前端側において、基枠３の下側に取り付けた金属等の板材であり、前方に一部が突出する。尚、突出した部分には、上方に延びる棒状の突起３ｄを取り付け、環状物を係止できるようにする。
【００２７】
軸受３ｅは、基枠３の中央付近において、基枠３に下側に、金属等の板材をＬ字状に折り曲げたものを２つ、垂直部分が対向するように取り付けることで、載置軸２ａを間に挟めるようにしたものである。
【００２８】
図７に示すように、固定部材４は、貫通孔４ａ、連結具４ｂ、ボルト４ｃ、及びナット４ｄ等からなる。
【００２９】
貫通孔４ａは、金属等の板材である固定部材４の中央に矩形状や円形状などの孔を表面から裏面まで貫通させたものである。貫通孔４ａの１辺の長さ又は内径の長さは、杭６の外径よりも大きし、杭６が通過できるようにする。
【００３０】
連結具４ｂは、針金を環状や鎖状などにすることで、基枠３と固定部材４を連結するためのものである。下端は固定部材４の上部に取り付け、上端は突起３ｄに掛ける。尚、全体を環状としても、上端と下端を環状にし間は繋ぎの部材を用いても良い。
【００３１】
ボルト４ｃは、固定部材４の下部に軸体が固定部材４と水平になるように取り付けたもので、貫通孔４ａの中央に向かって移動可能である。尚、固定部材４の表面かつ貫通孔４ａの下側にナット４ｄを取り付け、ナット４ｄにボルト４ｃを螺合させる。
【００３２】
基枠３の突起３ｄに連結具４ｂで引っ掛けているだけのため、杭６の形状に応じて交換することが容易であり、杭６の頭が通過できる貫通孔４ａを有する固定部材４を取り付ければ良い。
【００３３】
図８は、本発明の実施例１に係る杭抜き器で杭を引き抜く準備段階の図である。図９は、本発明の実施例１に係る杭抜き器で杭を引き抜いた状態の図である。
【００３４】
図８に示すように、まず、地面６ａに杭６が刺さっている状態で、支台２を地面６ａ上に設置する。そして、支台２の上にに基枠３を載せ、基枠３の嵌込溝３ａに把持部材５を装着する。
【００３５】
把持部材５は、金属や木などの角材であり、嵌込溝３ａに嵌め込むことができるサイズである。地面６ａの固さや杭６の深さなど杭６の抜け難さに応じて、把持部材５の長さや素材を選択することが可能である。
【００３６】
支台２の載置軸２ａに基枠３の軸受３ｅを嵌めることで、基枠３の横位置を動かさずに両端を交互に上下回動させることができる。そこで、基枠３の前側を下げて、固定部材４に杭６を固定する。
【００３７】
最初はボルト４ｃを緩めた状態で固定部材４の貫通孔４ａに杭６を通し、その後でボルト４ｃを締めてボルト４ｃの先端で杭６を押し付けるようにすることで、杭６が抜けないように固定する。
【００３８】
次に、図９に示すように、把持部材５を押し下げて、基枠３の前側を持ち上げることにより、連結具４ｂにより基枠３の突起３ｄに吊り下がっている固定部材４と共に杭６を引き上げる。
【００３９】
把持部材５の先端が押さえ板３ｂで固定されているため、支台２の載置軸２ａを支点として、把持部材５の後端を押し下げることで、基枠３の前側を持ち上げて、杭６を地面６ａから引き抜くことができる。
【実施例２】
【００４０】
図１０は、本発明の実施例２に係る掘削用パイプの断面図である。図１１は、本発明の実施例２に係る掘削用パイプを地面に突き刺した状態の図である。図１２は、本発明の実施例２に係る掘削用パイプを実施例１に係る杭抜き器で引き抜く状況の図である。
【００４１】
図１０に示すように、掘削用パイプ７は、杭抜き器１で引き抜く杭６を打ち込むための穴を掘る器具であり、上側から下側まで貫通する外筒７ａ及び内筒７ｂからなる。
【００４２】
外筒７ａは、穴を掘るのに必要な長さのある円筒であり、地面６ａを掘る際に抵抗が少なくなるように、先端は内側に向かって尖った形状である。内筒７ｂは、外筒７ａの先端に取り付ける短い円筒であり、先端は地面６ａに打ち込むために尖った形状である。
【００４３】
尚、内筒７ｂの外径と外筒７ａの内径は同じサイズであり、外筒７ａの先端に内筒７ｂを嵌め込み、内筒７ｂの先端が外筒７ａの先端から出た状態で固定する。外筒７ａの内壁と内筒７ｂの内壁には段差が生じる。
【００４４】
図１１に示すように、掘削用パイプ７を地面６ａに打ち込むと、土６ｂが掘削用パイプ７内に入り込む。土６ｂは内筒７ｂの内壁に沿って入るので、内筒７ｂの内壁より広くなった外筒７ａの内壁にはこびり付きにくい。
【００４５】
穴を掘り終えて掘削用パイプ７内の土６ｂを除去する際、外筒７ａ内に溜まった土６ｂについては、上側から流し出すことが容易であり、内筒７ｂ内に付着した土６ｂについては、内筒７ｂ自体が短いため掻き出すのは容易である。
【００４６】
尚、図１２に示すように、穴を掘るために打ち込んだ掘削用パイプ７を、杭６の場合と同様にして、杭抜き器１を用いて地面６ａから引き抜くことも可能である。
【符号の説明】
【００４７】
１        杭抜き器
２        支台
２ａ      載置軸
２ｂ      左枠板
２ｃ      右枠板
２ｄ      土台板
３        基枠
３ａ      嵌込溝
３ｂ      押さえ板
３ｃ      補助板
３ｄ      突起
３ｅ      軸受
４        固定部材
４ａ      貫通孔
４ｂ      連結具
４ｃ      ボルト
４ｄ      ナット
５        把持部材
６        杭
６ａ      地面
６ｂ      土
７        掘削用パイプ
７ａ      外筒
７ｂ      内筒
【先行技術文献】
【特許文献】
【００４８】
【特許文献１】実開平５−８３０４０号公報
【図１】
2010281133.tif 000003
【図２】
2010281133.tif 000004
【図３】
2010281133.tif 000005
【図４】
2010281133.tif 000006
【図５】
2010281133.tif 000007
【図６】
2010281133.tif 000008
【図７】
2010281133.tif 000009
【図８】
2010281133.tif 000010
【図９】
2010281133.tif 000011
【図１０】
2010281133.tif 000012
【図１１】
2010281133.tif 000013
【図１２】
2010281133.tif 000014